(57)【要約】【課題】この発明は、従来無効であった反射光を有効に利用することにより、比較的簡単な構造でもって輝度むらを軽減ないし解消することができる液晶表示装置の直下型バックライト用反射板を提供しようとするものである。【解決手段】液晶表示パネルを照明するために複数個の光源の背後に配置されて光源からの光を上記液晶表示パネル側へ反射させる直下型バックライト用反射板であって、前記光源の間から隣接する光源の上部に傾斜して設けられ、その端部に所定角度の折り返し部を形成してなり、光源から照射した光が、上記隣接する光源の上部に形成した折返し部において反射して、その反射光が上記液晶表示パネル側に反射するようにしたことを特徴とする液晶表示装置の直下型バックライト用反射板。【選択図】    図１
2008034273.tif 000002
【特許請求の範囲】
【請求項１】
液晶表示パネルを照明するために複数個の光源の背後に配置されて光源からの光を上記液晶表示パネル側へ反射させる直下型バックライト用反射板であって、前記光源の間から隣接する光源の上部に傾斜して設けられ、その端部に所定角度の折り返し部を形成してなり、光源から照射した光が、上記隣接する光源の上部に形成した折返し部において反射して、その反射光が上記液晶表示パネル側に反射するようにしたことを特徴とする液晶表示装置の直下型バックライト用反射板。
【請求項２】
液晶表示パネルを照明するために複数個の光源の背後に配置されて光源からの光を上記液晶表示パネル側へ反射させる直下型バックライト用反射板であって、前記光源の間から隣接する光源の上部に傾斜して設けられ、その端部に所定角度の折り返し部を形成してなり、光源から照射した光が、上記隣接する光源の上部に形成した折返し部から、上記傾斜面において反射して、その反射光が上記液晶表示パネル側に反射するようにしたことを特徴とする液晶表示装置の直下型バックライト用反射板。
【請求項３】
光源から照射した光が、上記隣接する光源の上部に形成した折返し部の上部を通過して上記液晶表示パネル側に照射されるようにしたことを特徴とする請求項１または２に記載の液晶表示装置の直下型バックライト用反射板。
【発明の詳細な説明】
【技術分野】
【０００１】
この発明は、コンピュータのモニターやテレビなどの液晶表示装置に用いられる反射板に関し、更に詳しくは、液晶表示パネルを照明するための複数個の光源（例えば、ＬＥＤ）の間に配置されて光源からの光を上記液晶表示パネル側へ反射させる直下型バックライト用反射板に関するものである。
【背景技術】
【０００２】
従来、複数個の光源（例えば、ＬＥＤ）と光源の間に配置されるように断面略三角形状をした山形反射面が等ピッチで並行に形成された直下型バックライト用反射板や、このような反射板を用いた照明・表示装置としては、特開２００２−１０７７２０公報（特許文献１参照）、特開２００３−１５６６１０公報（特許文献２参照）、特開２００４−１０９２０５公報（特許文献３参照）等が知られている。
【０００３】
このような直下型バックライト用反射板においては、光源に近い部分が明るく光源と光源の間が暗くなる輝度むらを発生しやすくなるため、従来から、輝度むらを解消するべく山形反射面の形状を変えたいろいろな提案がなされている（例えば、特許文献１および２参照）。
【特許文献１】特開２００２−１０７７２０公報
【特許文献２】特開２００３−１５６６１０公報
【特許文献３】特開２００４−１０９２０５公報
【発明の開示】
【発明が解決しようとする課題】
【０００４】
輝度むらは、反射板と拡散板までの距離が短くなるほど発生しやすくなり、しかも、光源の直射光も反射板からの反射光も拡散板に対してある入射角以上になると拡散板で反射されてしまい、拡散板より表側（液晶表示パネル側）に出てこない無駄な光となってしまうので、実際問題として簡単な構造でもって輝度むらを解消することは非常に難しい。
【０００５】
そこでこの発明は、反射板の構造に工夫を加えて、平らな底面部に当たって無駄になっていた光を、拡散板に入る光の入射角が鋭角になるように制御し、かつ輝度が低かった部位に反射光が当たるように制御することにより、比較的簡単な構造でもって輝度むらを軽減ないし解消できることを見出し、この発明を完成するに至った。
すなわちこの発明は、従来無効であった反射光を有効に利用することにより、比較的簡単な構造でもって輝度むらを軽減ないし解消することができる液晶表示装置の直下型バックライト用反射板を提供しようとするものである。
【課題を解決するための手段】
【０００６】
上記の目的を達成するこの発明の請求項１に係る液晶表示装置の直下型バックライト用反射板は、液晶表示パネルを照明するために複数個の光源の背後に配置されて光源からの光を上記液晶表示パネル側へ反射させる直下型バックライト用反射板であって、前記光源の間から隣接する光源の上部に傾斜して設けられ、その端部に所定角度の折り返し部を形成してなり、光源から照射した光が、上記隣接する光源の上部に形成した折返し部において反射して、その反射光が上記液晶表示パネル側に反射するようにしたことを特徴とするものである。
【０００７】
この発明の請求項２に係る液晶表示装置の直下型バックライト用反射板は、液晶表示パネルを照明するために複数個の光源の背後に配置されて光源からの光を上記液晶表示パネル側へ反射させる直下型バックライト用反射板であって、前記光源の間から隣接する光源の上部に傾斜して設けられ、その端部に所定角度の折り返し部を形成してなり、光源から照射した光が、上記隣接する光源の上部に形成した折返し部から、上記傾斜面において反射して、その反射光が上記液晶表示パネル側に反射するようにしたことを特徴とするものである。
【０００８】
この発明の請求項３に係る液晶表示装置の直下型バックライト用反射板は、光源から照射した光が、上記隣接する光源の上部に形成した折返し部の上部を通過して上記液晶表示パネル側に照射されるようにしたことをも特徴とするものである。
【発明の効果】
【０００９】
この発明に係る液晶表示装置の直下型バックライト用反射板は以上のように、第１発明では光源の間から隣接する光源の上部に傾斜して設けられ、その端部に所定角度の折り返し部を形成してなり、光源から照射した光が、上記隣接する光源の上部に形成した折返し部において反射して、その反射光が上記液晶表示パネル側に反射するようにした。
したがって従来、平らな底面部に当たって無駄になっていた光を、拡散板に入る光の入射角が鋭角になるように制御し、かつ輝度が低かった部位に反射光が当たるように制御することが可能となり、比較的簡単な構造でもって輝度むらを軽減ないし解消できるようになった。
【００１０】
また、第２発明に係る液晶表示装置の直下型バックライト用反射板では、光源の間から隣接する光源の上部に傾斜して設けられ、その端部に所定角度の折り返し部を形成してなり、光源から照射した光が、上記隣接する光源の上部に形成した折返し部から、上記傾斜面において反射して、その反射光が上記液晶表示パネル側に反射するようにした。
したがってこの場合においても、平らな底面部に当たって無駄になっていた光を、拡散板に入る光の入射角が鋭角になるように制御し、かつ輝度が低かった部位に反射光が当たるように制御することが可能となり、比較的簡単な構造でもって輝度むらを軽減ないし解消できるようになった。
【発明を実施するための最良の形態】
【００１１】
以下、この発明の実施の形態を図面を参照しながら詳細に説明する。
図１はこの発明の直下型バックライト用反射板の第１実施例を示す概略図、図２は該実施例の反射板単体を示す概略図、図３は第２実施例を示す概略図、図４は第３実施例を示す概略図である。
【００１２】
図１および図２における、第１実施例に係る直下型バックライト用反射板１１は、液晶表示パネルを照明するために複数個の光源の背後に配置されて光源からの光を上記液晶表示パネル側へ反射させるものである。
上記直下型バックライト用反射板１１は、ＬＥＤ等からなる光源１２の間から隣接する光源１２の上部に傾斜して設けられており、その端部には所定角度の折り返し部１４が形成してある。この折り返し部１４の角度は、底面部１３に対してほぼ直角よりも多少鋭角に形成してあるので、光源１２から照射した光は、上記隣接する光源１２の上部に形成した折返し部１４において反射し、その反射光が上記液晶表示パネル側に反射するようになっている。
【００１３】
すなわち、上記実施例における直下型バックライト用反射板１１において、光源１２から照射された光２１は、平らな底面部１３に反射した反射光２２と、折り返し部１４に反射した反射光２３とに分かれる。底面部１３に反射した反射光２２は、さらに液晶表示パネル側へ反射する反射光２２−１と、折り返し部１４に反射した反射光２２−２とに分かれる。
液晶表示パネル側へ反射する反射光２２−１は、光源１２から折り返し部１４側の上部に向けて照射される。また、上記折り返し部１４に反射した反射光２２−２および反射光２３は、さらに底面部１３に反射して光源１２側の上部に向けて照射される。
なお、直下型バックライト用反射板１１に形成される折り返し部１４の高さや傾斜角度およびピッチ（個数）は、求められる表示装置の大きさと光源１２の大きさに応じて最適に設計される。
【００１４】
図３における、第２実施例に係る直下型バックライト用反射板３１も、液晶表示パネルを照明するために複数個の光源の背後に配置されて光源からの光を上記液晶表示パネル側へ反射させるものである。
上記直下型バックライト用反射板３１は、ＬＥＤ等からなる光源３２の間から隣接する光源３２の上部に傾斜して設けられており、その端部には所定角度の折り返し部３４が形成してある。この折り返し部３４の角度は、底面部３３に対してほぼ直角よりも多少鈍角に形成してあるので、光源３２から照射した光は、上記隣接する光源３２の上部に形成した折返し部３４において反射し、その反射光が上記液晶表示パネル側に反射するようになっている。
【００１５】
すなわち、上記実施例における直下型バックライト用反射板３１において、光源３２から照射された光４１は、平らな底面部３３に反射した反射光４２と、折り返し部３４に反射した反射光４３とに分かれる。底面部３３に反射した反射光４２は、さらに液晶表示パネル側へ反射する反射光４２−１と、折り返し部３４に反射した反射光４２−２とに分かれる。
液晶表示パネル側へ反射する反射光４２−１は、光源３２から折り返し部３４側の上部に向けて照射される。また、上記折り返し部３４に反射した反射光４２−２および反射光４３は、そのまま光源３２側の上部に向けて照射される。
なお、直下型バックライト用反射板３１に形成される折り返し部３４の高さや傾斜角度およびピッチ（個数）も、求められる表示装置の大きさと光源３２の大きさに応じて最適に設計される。
【００１６】
図４における、第３実施例に係る直下型バックライト用反射板５１も、液晶表示パネルを照明するために複数個の光源の背後に配置されて光源からの光を上記液晶表示パネル側へ反射させるものである。
上記直下型バックライト用反射板５１は、ＬＥＤ等からなる光源５２の間から隣接する光源５２の上部に傾斜して設けられており、その端部には所定角度の折り返し部５４が形成してある。この折り返し部５４の角度は、底面部５３に対してほぼ直角よりもより大きく鈍角に形成してあるので、光源５２から照射した光は、上記隣接する光源５２の上部に形成した折返し部５４において反射し、その反射光が上記液晶表示パネル側に反射するようになっている。
【００１７】
すなわち、上記実施例における直下型バックライト用反射板５１において、光源５２から照射された光６１は、平らな底面部５３に反射した反射光６２と、折り返し部５４に反射した反射光６３とに分かれる。底面部５３に反射した反射光６２は、さらに液晶表示パネル側へ反射する反射光６２−１と、折り返し部５４に反射した反射光６２−２とに分かれる。
液晶表示パネル側へ反射する反射光６２−１は、光源５２から折り返し部５４の上部に向けて照射される。また、上記折り返し部５４に反射した反射光６２−２および反射光６３も、折り返し部５４の上部に向けて照射される。
なお、直下型バックライト用反射板５１に形成される折り返し部５４の高さや傾斜角度およびピッチ（個数）も、求められる表示装置の大きさと光源５２の大きさに応じて最適に設計される。
【００１８】
上記第１実施例，第２実施例，第３実施例の直下型バックライト用反射板１１，３１，５１は、上述した反射光の特性を生かせるよう、それぞれ適宜組み合わせて使用することが可能である。
【産業上の利用可能性】
【００１９】
この発明に係る液晶表示装置の直下型バックライト用反射板は、上記において説明した液晶表示装置のみならず、各種の照明装置に摘要することが可能である。
【図面の簡単な説明】
【００２０】
【図１】この発明の直下型バックライト用反射板の第１実施例を示す概略図である。
【図２】上記実施例の反射板単体を示す概略図である。
【図３】第２実施例を示す概略図である。
【図４】第３実施例を示す概略図である。
【符号の説明】
【００２１】
１１  直下型バックライト用反射板
１２  光源
１３  底面部
１４  折り返し部
２１  光
２２  反射光
２２−１，２２−２  反射光
２３  反射光
３１  直下型バックライト用反射板
３２  光源
３３  底面部
３４  折り返し部
４１  光
４２  反射光
４２−１，４２−２  反射光
４３  反射光
５１  直下型バックライト用反射板
５２  光源
５３  底面部
５４  折り返し部
６１  光
６２  反射光
６２−１，６２−２  反射光
６３  反射光
【図１】
2008034273.tif 000003
【図２】
2008034273.tif 000004
【図３】
2008034273.tif 000005
【図４】
2008034273.tif 000006